(57)【要約】新規な近赤外線吸収シアニン色素及びそれを含む近赤外線吸収剤を提供することを課題とする。下記一般式１で表されるベンゾ［ｃｄ］インドリウム系ヘプタメチンシアニン色素、及びこれを含有する近赤外線吸収剤を提供することにより上記課題を解決するものである。一般式１：2012063964.tif 000024（一般式１において、Ｒ１、Ｒ２は、それぞれ独立に炭素数１乃至５の直鎖状又は分岐を有するアルキル基を表す。Ｒ３、Ｒ４はそれぞれ独立に水素原子又は置換基を表す。Ｘ−は、対アニオンを表す。）
2012063964.tif 000002
【特許請求の範囲】
【請求項１】
一般式１で表されるベンゾ［ｃｄ］インドリウム系ヘプタメチンシアニン色素。
一般式１：
【化１】
2012063964.tif 000023
（一般式１において、Ｒ１、Ｒ２は、それぞれ独立に炭素数１乃至５の直鎖状又は分岐を有するアルキル基を表す。Ｒ３、Ｒ４は、それぞれ独立に水素原子又は置換基を表す。Ｘ−は、対アニオンを表す。）
【請求項２】
請求の範囲第１項記載のベンゾ［ｃｄ］インドリウム系シアニン色素を含有することを特徴とする近赤外線吸収剤。
【発明の詳細な説明】
【技術分野】
【０００１】
この発明は、新規なベンゾ［ｃｄ］インドリウム系シアニン色素に関するものであり、とりわけ、近赤外線を吸収するベンゾ［ｃｄ］インドリウム系シアニン色素及びそれを用いた近赤外線吸収剤に関するものである。
【背景技術】
【０００２】
情報化時代の到来に伴い、近赤外線を吸収する有機色素化合物の需要が急増している。その用途は、今や、半導体受光素子やプラズマディスプレーなどのフィルター用材におけるがごとく、有機色素化合物が近赤外線を遮断する性質を専ら利用する用途から、有機色素化合物を介して近赤外線エネルギーを積極的に利用する、例えば、レーザーを光源とする製版、光記録媒体、光カード、熱転写記録、感熱記録をはじめとする情報記録の分野へ拡がることとなった。レーザー光を利用した製版材料分野においては、波長７００ｎｍより長波長の光、とりわけ、波長７００ｎｍ乃至１２００ｎｍの汎用レーザー光に高感度で、しかも、汎用される有機溶剤への溶解性と耐熱性に優れた近赤外線吸収化合物への要望が高まっている。【０００３】
これまでに提案された代表的な近赤外線吸収化合物としては、ジチオール系金属錯体、ナフトキノン系化合物、フタロシアニン系化合物、及びナフタロシアニン系化合物などが挙げられるけれども（例えば、特開平９−３０９８８６号公報、特開２００２−１２１１６７号公報、及び特開平６−１５７５３６号公報）、これら近赤外線吸収化合物は、吸光特性は良好であるものもあるが、溶剤への溶解性、耐熱性に関して難があるとされている。シアニン色素は、これまで、吸光特性、溶解性ともに比較的良好であるものの、光、熱などの耐環境特性に問題があるとされてきた。シアニン色素のうち、ベンゾ［ｃｄ］インドール環構造を分子内に有するシアニン色素は、近赤外線吸収色素として開示され（例えば、特開２００９−１９１２１３号公報、特開２００４−２７１５９４号公報、及び特表平０９−５０４２３９号公報）、近赤外線吸収フィルター、不可視印刷用インク、光重合増感剤、レーザー製版用の光熱変換材料として使用できることが提案されている。しかしながら、これら特許文献に記載の近赤外線吸収シアニン色素は、近赤外線領域の特定波長、例えば、波長１０００ｎｍ付近の発振波長レーザー光による感度が十分に得られないものや、熱、光に対する安定性に問題があるものが多く、必ずしも均一安定な製品が得られないこともあり、特定の波長領域に高感度で、かつ、耐熱性に優れた近赤外線吸収シアニン色素の提案が望まれている。
【発明の開示】
【０００４】
本発明の目的は、新規な近赤外線吸収シアニン色素及びそれを含む近赤外線吸収剤を提供することである。
【０００５】
上記課題を解決するために本発明者らが検討した結果、シクロペンテン環構造を有するヘプタメチン鎖のメソ位にジフェニルアミノ基が結合する特定化学構造のベンゾ［ｃｄ］インドリウム系ヘプタメチンシアニン色素が、汎用する溶剤に対して適度な溶解性と優れた耐熱性を有し、例えば、近赤外線を吸収する光熱変換用材料、光学フィルターなどの用途において有用であることを見出した。
【０００６】
即ち、この発明は、特定の化学構造を有する下記一般式１で表されるベンゾ［ｃｄ］インドリウム系ヘプタメチンシアニン色素、及び該ベンゾ［ｃｄ］インドリウム系ヘプタメチンシアニン色素を含有する近赤外線吸収剤を提供することにより上記課題を解決するものである。
【０００７】
一般式１：
【化１】
2012063964.tif 000003
【０００８】
（一般式１において、Ｒ１、Ｒ２は、それぞれ独立に炭素数１乃至５の直鎖状又は分岐を有するアルキル基を表す。Ｒ３、Ｒ４は、それぞれ独立に水素原子又は置換基を表す。Ｘ−は、対アニオンを表す。）
【０００９】
この発明のベンゾ［ｃｄ］インドリウム系ヘプタメチンシアニン色素は、汎用される有機溶剤における適度な溶解性を有し、耐熱性に優れ、近赤外線領域の９９０ｎｍ付近に吸収極大を有することから、近赤外線を吸収する有機化合物が必要とされる光学フィルター、或いは、波長１０００ｎｍ付近の近赤外線発振レーザー光を用いる製版用感光材料などとして極めて有用であるという利点を有している。
【図面の簡単な説明】
【００１０】
【図１】図１は、実施例１の本発明のベンゾ［ｃｄ］インドリウム系ヘプタメチンシアニン色素のＩＲ吸収スペクトルを示す。
【図２】図２は、実施例１の本発明シアニン色素のＴＧ−ＤＴＡ（熱重量測定−示唆熱分析）図を示す。
【発明を実施するための形態】
【００１１】
以下、この発明の近赤外線吸収シアニン色素とその用途について詳しく説明する。まず、この発明の近赤外線吸収シアニン色素である、一般式１で表されるベンゾ［ｃｄ］インドリウム系ヘプタメチンシアニン色素について説明する。
【００１２】
一般式１：
【化２】
2012063964.tif 000004
【００１３】
一般式１において、Ｒ１、Ｒ２は、それぞれ独立に、炭素数１乃至５の直鎖状又は分岐を有するアルキル基を表し、例えば、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基などが挙げられる。このうち、炭素数２乃至５の直鎖状又は分岐を有するアルキル基を有するものは溶剤に対する溶解性と熱安定性の点でより好ましい。因みに、炭素数が６以上となると、熱安定性に問題が生じる場合があり、好ましくない。
【００１４】
Ｒ３、Ｒ４は、それぞれ独立に、水素原子又は置換基を表す。置換基としては、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基などのアルキル基、シクロプロピル基、シクロブチル基、シクロペンチル基、シクロヘキシル基、シクロヘキセニル基、シクロヘプチル基、シクロオクチル基などの脂環式アルキル基、フェニル基、ｏ−トリル基、ｍ−トリル基、ｐ−トリル基、キシリル基、メシチル基、ｏ−クメニル基、ｍ−クメニル基、ｐ−クメニル基、ビフェニリル基などの芳香族炭化水素基、メトキシ基、エトキシ基、プロポキシ基などアルコキシ基、フルオロ基、クロロ基、ブロモ基、ヨード基などのハロゲン基、シアノ基、ニトロ基、さらには、それらの組合わせによる置換基が挙げられる。
【００１５】
Ｘ−については特に制限がなく、用途にもよるけれども、要は、ベンゾ［ｃｄ］インドリウム系ヘプタメチンシアニン色素の溶解性と熱安定性を勘案しながら適宜のものとすればよい。通常、ハロゲンイオン、燐酸イオン、ヘキサフルオロ燐酸イオン、過塩素酸イオン、過沃素酸イオン、六弗化アンチモン酸イオン、六弗化錫酸イオン、硼弗化水素酸イオン、四弗硼素酸イオンなどの無機酸イオンや、チオシアン酸イオン、ベンゼンスルホン酸イオン、ナフタレンスルホン酸イオン、ｐ−トルエンスルホン酸イオン、アルキルスルホン酸イオン、ベンゼンカルボン酸イオン、アルキルカルボン酸イオン、トリハロアルキルカルボン酸イオン、アルキル硫酸イオン、トリハロアルキル硫酸イオン、ニコチン酸イオンなどの有機酸イオン、さらには、アゾ系、ビスフェニルジチオール系、チオカテコールキレート系、チオビスフェノレートキレート系、ビスジオール−α−ジケトン系の金属錯体イオンなどが採用される。このうち、ヘキサフルオロ燐酸イオン、過塩素酸イオン、四弗硼素酸イオンを対イオンとするものは、溶解性、耐熱性の点で優れている。なお、一般式１で表されるベンゾ［ｃｄ］インドリウム系ヘプタメチンシアニン色素において、構造上、シス／トランス異性体が存在する場合には、いずれの異性体もこの発明に包含されるものとする。
【００１６】
この発明のシアニン色素は種々の方法で製造することができるが、経済性を重視するのであれば、一般式２で表されるベンゾ［ｃｄ］インドリウム骨格を有する四級アンモニウム化合物と一般式３で表されるジフェニルアミノシクロペンテン骨格を有するアミノビニル化合物を反応させる工程を経由する方法が有利である。この方法によるときには、例えば、一般式２で表される化合物に、一般式３で表される化合物を反応させることによって、この発明のシアニン色素が好収量で生成する。
【００１７】
ここで、一般式２で表される化合物において、Ｒ５は上記一般式１で表される化合物のＲ１又はＲ２のアルキル基と同じものが挙げられ、Ｘ１−は、適宜の対イオンを表し、例えば、一般式１におけるＸ−と同じ対イオンが挙げられる。また、一般式３で表される化合物のＲ６、Ｒ７は、一般式１で表される化合物のＲ３、Ｒ４にそれぞれ対応する置換基を表す。Ｘ２−は、適宜の対イオンを表し、例えば、一般式１におけるＸ−と同じ対イオンが挙げられる。
【００１８】
一般式２
【化３】
2012063964.tif 000005
【００１９】
一般式３
【化４】
2012063964.tif 000006
【００２０】
すなわち、反応容器に一般式２及び一般式３で表される化合物をそれぞれ適量とり、酢酸、無水酢酸、無水プロピオン酸、メタノール、エタノール、プロパノール、イソプロパノール、クレゾール、ベンジルアルコール、メチルセロソルブ、エチルセロソルブ、アセトン、アセトニトリル、１，４−ジオキサン、テトラヒドロフラン、テトラヒドロピラン、ホルムアミド、Ｎ−メチルホルムアミド、Ｎ，Ｎ−ジメチルホルムアミド、Ｎ−メチルピロリドン、ジメチルスルホキシド、水などの溶剤かそれらの混液に溶解し、必要に応じて、酢酸カリウム、酢酸ナトリウム、炭酸カリウム、炭酸カルシウム、トリエチルアミン、Ｎ，Ｎ−ジメチルアニリン、ピペリジン、モルホリン、ピリジン、１，８−ジアザビシクロ［５．４．０］−７−ウンデセンなどの塩基性化合物を添加した後、加熱・攪拌しながら０．５乃至５時間反応させる。その後、反応混合物のまま、必要に応じて、通常の対イオン交換反応に供することによって、この発明のベンゾ［ｃｄ］インドリウム系ヘプタメチンシアニン色素を得る。
【００２１】
この発明によるベンゾ［ｃｄ］インドリウム系ヘプタメチンシアニン色素の具体例としては、例えば、化学式１乃至化学式９で表される化合物が挙げられる。これらは、いずれも、汎用の有機溶剤に対して適度な溶解性を有し、耐熱性に優れており、また波長９９０ｎｍ付近に吸収極大を有し、波長１０００ｎｍ付近のレーザー光を感度良く吸収する。上記特性により、例えば、光学フィルター、製版用感光材料、レーザー溶着用光吸収樹脂組成物などとして極めて有用である。
【００２２】
化学式１
【化５】
2012063964.tif 000007
【００２３】
化学式２
【化６】
2012063964.tif 000008
【００２４】
化学式３
【化７】
2012063964.tif 000009
【００２５】
化学式４
【化８】
2012063964.tif 000010
【００２６】
化学式５
【化９】
2012063964.tif 000011
【００２７】
化学式６
【化１０】
2012063964.tif 000012
【００２８】
化学式７
【化１１】
2012063964.tif 000013
【００２９】
化学式８
【化１２】
2012063964.tif 000014
【００３０】
化学式９
【化１３】
2012063964.tif 000015
【００３１】
斯くして得られるこの発明のベンゾ［ｃｄ］インドリウム系ヘプタメチンシアニン色素は、用途によっては反応混合物のまま用いられることもあるが、通常、使用に先立って、例えば、溶解、抽出、分液、傾斜、沈澱、濾過、濃縮、薄層クロマトグラフィー、カラムクロマトグラフィー、ガスクロマトグラフィー、高速液体クロマトグラフィー、蒸留、結晶化、昇華などの類縁化合物を精製するための汎用の方法により精製され、必要に応じて、これらの精製方法は適宜組み合わせて適用される。
【００３２】
この発明の近赤外線吸収剤は、斯かるベンゾ［ｃｄ］インドリウム系ヘプタメチンシアニン色素の１又は複数を含んでなり、かつ、これらのベンゾ［ｃｄ］インドリウム系ヘプタメチンシアニン色素が近赤外線を実質的に吸収するという性質を利用する光吸収剤全般を包含するものである。したがって、この発明の近赤外線吸収剤は一般式１で表されるベンゾ［ｃｄ］インドリウム系ヘプタメチンシアニン色素からなるものであっても、一般式１で表されるベンゾ［ｃｄ］インドリウム系ヘプタメチンシアニン色素とともに、用途に応じたそれ以外の成分を１又は複数含んでなるものであってもよい。
【００３３】
この発明によるベンゾ［ｃｄ］インドリウム系ヘプタメチンシアニン色素は、波長９９０ｎｍ付近に吸収極大を有し、また、吸収極大波長における分子吸光係数も大きいことから、波長１０００ｎｍ付近の発振波長を有するレーザー光を用いた場合、効率良くレーザー光を吸収する。しかも、この発明のベンゾ［ｃｄ］インドリウム系ヘプタメチンシアニン色素は、従来公知の類縁化合物と比較して、耐熱性に優れ、また、製版、光学フィルター、情報記録、情報表示、太陽光発電などの分野で頻用される、例えば、アルコール系、ケトン系の有機溶剤は勿論のこと、エーテル系、エステル系、炭化水素系、ニトリル系、ハロゲン系の有機溶剤に対して適度な溶解性を発揮する。これらの性質ゆえに、この発明のベンゾ［ｃｄ］インドリウム系ヘプタメチンシアニン色素は、近赤外線を吸収することによって、これを遮断したり、近赤外線のエネルギーを利用する有機吸光材料として、例えば、電気機械器具、電気通信器具、光学器具、衣料、建寝装用品、保健用品、農業資材をはじめとする多種多様の分野において極めて有用である。
【００３４】
この発明のベンゾ［ｃｄ］インドリウム系ヘプタメチンシアニン色素を近赤外線吸収剤として使用する場合、上述のとおり、この発明のベンゾ［ｃｄ］インドリウム系ヘプタメチンシアニン色素の１種又は２種以上を単独で用いてもよく、必要に応じて、バインダー樹脂、その他の近赤外線吸収物質及び発色成分等を適宜配合して使用してもよい。
【００３５】
バインダー樹脂としては、例えば、ポリスチレン、ポリビニルブチラート、ポリエステル、シリコーンワニス、ＥＢ（電子ビーム）・ＵＶ（紫外線）硬化樹脂、ヒドロキシエチルセルロース、カルボキシメチルセルロース、メチルセルロース、エチルセルロース等のセルロース誘導体、デンプン及びその誘導体、ポリビニルピロリドン、ポリビニルアルコール、変性ポリビニルアルコール、ポリビニルブチラール、ポリアクリル酸ナトリウム、ポリエチレンオキシド、アクリル酸アミド−アクリル酸エステル共重合体、スチレン−無水マレイン酸共重合体、ポリアクリルアミド、アルギン酸ナトリウム、ゼラチン、カゼイン、ポリ酢酸ビニル、ポリウレタン、ポリアクリル酸、ポリメタクリル酸、ポリアクリル酸エステル、スチレン−ブタジエン共重合体、アクリロニトリル−ブタジエン共重合体、塩化ビニル−酢酸ビニル共重合体及びスチレン−ブタジエン−アクリル共重合体等が挙げられる。
【００３６】
また、併用できる近赤外線吸収物質としては、この発明のベンゾ［ｃｄ］インドリウム系ヘプタメチンシアニン色素とは異なるシアニン色素等のポリメチン系色素、フタロシアニン色素、ナフトキノン系色素、アントラキノン系色素、トリフェニルメタン系色素、アミニウム、ジイモニウム、アゾ金属錯体、ジアミンシスエチレンチオラトニッケル錯体、ジチオール金属錯体、芳香族ジアミン金属錯体、脂肪族ジアミン金属錯体等の従来から各種用途に用いられている近赤外線吸収色素が挙げられる。
【００３７】
本発明の近赤外線吸収剤を製版材料用の光熱変換剤として用いる場合には、ポリエチレンテレフタレート等のポリエステル、ポリプロピレン、セロハン、ポリカーボネート、酢酸セルロース、トリアセチルセルロース、ポリエチレン、ポリ塩化ビニル、ポリスチレン、ナイロン、ポリイミド、ポリ塩化ビニリデン、ポリビニルアルコール、フッ素樹脂、塩化ゴム、アイオノマー等のプラスチックフィルム等の支持体の上に、近赤外線吸収剤を有機溶剤で溶解した液を塗布することによって製版用印刷原版を作成することができる。なお、塗布する溶液としては、例えば、炭化水素類、ハロゲン化炭化水素類、エーテル類、ケトン類、アルコール類、セルソルブ類等が挙げられるが、特に、メタノール、エタノール、プロパノール、イソプロピルアルコール等のアルコール系溶剤、メチルエチルケトン、メチルイソブチルケトン等のケトン系溶剤が好ましい。
【００３８】
また、この発明の近赤外線吸収剤は、耐熱性に優れていることから、製版用印刷原版用途の他にも、レーザー溶着用光吸収樹脂組成物として使用することもできる。
【００３９】
上記用途のほかにも、この発明によるベンゾ［ｃｄ］インドリウム系ヘプタメチンシアニン色素は、例えば、情報記録の分野において、赤外線レーザーなどによる近赤外線を吸収し、光カード、熱転写記録、感熱記録などに用いられる重合性化合物や重合開始剤などを増感することによって、重合を促進するための増感剤又は光熱交換剤として有用である。同じく情報記録の分野において、この発明によるシアニン色素は、情報の書込、読取に波長７８０ｎｍ付近のレーザーを光源とするＣＤ−Ｒなどの光記録媒体の記録層用材や、短波長のレーザーを光源とする、例えば、ＤＶＤ−Ｒやブルーレイ・ディスクなどの高密度光記録媒体において、熱線が光記録媒体の記録層などへ到達し、記録した情報の読取を妨げたり、記録した情報そのものが消失したりするのを防止する遮光剤又は熱線遮断剤としても有用である。増感剤としての別の用途としては、例えば、太陽光発電の分野において、この発明によるシアニン色素を色素増感型湿式太陽電池の半導体電極へ担持せしめるときには、近赤外線に対する半導体電極の感度が向上し、かつ安定性に優れたものとなることから、太陽電池の光電変換効率を著明に改善することができる。
【００４０】
また、情報表示の分野においては、この発明のベンゾ［ｃｄ］インドリウム系ヘプタメチンシアニン色素は、耐熱性に優れ、近赤外領域における吸光特性が良好なことから、テレビ受像機の表示部へ取り付けて用いる前面部材の近赤外線吸収剤としても有用である。
【００４１】
電気通信器具、電気機械器具、光学機器の分野においては、この発明によるシアニン色素をフィルター用材として、例えば、撮像管、半導体受光素子、光ファイバーなどへ適用される。フィルター用材としての別の用途としては、農業資材の分野において、例えば、温室用のガラス板や、シート若しくはフィルム状の基材に形成したビニルハウス用プラスチック製基材へ塗布することによって、観賞植物、食用植物などの有用植物へ到達する光の波長分布を調節し、植物の生育を制御することができる。
【００４２】
以上の諸用途に加えて、この発明によるベンゾ［ｃｄ］インドリウム系ヘプタメチンシアニン色素と、必要に応じて、紫外領域、可視領域及び／又は赤外領域の光を吸収する他の材料の１又は複数とともに、遮光剤、熱線遮断剤、断熱剤、保温蓄熱剤などとして衣料一般、とりわけ、保温蓄熱繊維や、赤外線による偵察に対して偽装性能を有する繊維を用いる衣料や、衣料以外の、例えば、ドレープ、レース、ケースメント、プリント、ベネシャンブラインド、ロールスクリーン、シャッター、のれん、毛布、布団、布団地、布団カバー、シーツ、座布団、枕、枕カバー、クッション、マット、カーペット、寝袋、窓ガラス、建造物、車輌、電車、船舶、航空機などの内外装材、ウインドガラスなどの建寝装用品、紙おむつ、おむつカバー、眼鏡、モノクル、ローネットなどの保健用品、靴の中敷き、靴の内張り地、鞄地、風呂敷、傘地、パラソル、ぬいぐるみ、照明装置、サングラス、サンバイザー、サンルーフ、電子レンジ、オーブンなどの覗き窓、さらには、これらの物品を包装、充填又は収容するための包装用材、充填用材、容器などに用いるときに、不必要な温度変化や、近赤外線が病因となる眼精疲労、視細胞の老化、白内障をはじめとする生物や物品の障害や不都合を防止したり、低減することができるだけではなく、物品の色度、色調、色彩、風合などを整えたり、物品から反射したり透過する光を所望の色バランスに整えることができる実益がある。なお、この発明のシアニン色素は、近赤外線を吸収する従来公知の有機色素化合物と同様に、改竄防止用インキ、改竄偽造防止用バーコードインキ、近赤外線吸収インキ、近赤外線吸収塗料、写真やフィルムの位置決め用マーキング剤、プラスチックをリサイクルする際の仕分け用染色剤、ＰＥＴボトルを成形加工する際のプレヒーティング助剤、さらには、熱に感受性があるとされている腫瘍一般を治療するための医薬品の有効成分などとしても有用である。
【００４３】
以下、この発明の実施の形態につき、実施例を挙げて説明する。なお本発明はこれら実施例に限定されるものではない。
【実施例１】
【００４４】
＜ベンゾ［ｃｄ］インドリウム系ヘプタメチンシアニン色素の製造＞
反応容器に化学式１０で表される化合物１０ｇ、化学式１１で表される化合物８．３７ｇ、及びイソプロピルアルコール５０ｍｌを仕込み、室温分散下、無水酢酸５．８４ｍｌ、トリエチルアミン６．４６ｍｌを順次加え、７０℃にて加熱攪拌を９０分間行なった。反応終了後、水１００ｍｌを加え、冷却後、晶析した結晶を濾過し取り出した。得られた粗結晶１１．７ｇとジメチルフォルムアミド１１０ｍｌとを反応容器に仕込み、７０℃にて過熱溶解させた後に、冷却、晶析させ、結晶を濾過し取り出した。取り出した結晶を乾燥させ化学式１で表されるベンゾ［ｃｄ］インドリウム系ヘプタメチンシアニン色素５．０ｇを得た。【００４５】
化学式１０
【化１４】
2012063964.tif 000016
【００４６】
化学式１１
【化１５】
2012063964.tif 000017
【００４７】
結晶の一部をとり、常法によりメタノール溶液における可視吸収スペクトルを測定したところ、本例のベンゾ［ｃｄ］インドリウム系ヘプタメチンシアニン色素は波長９９４ｎｍ付近に吸収極大（モル吸光係数（ε）＝１．７８×１０５）を示した。本例のシアニン色素のＩＲ吸収スペクトルを図１に示す。なお、常法にしたがって、ＤＭＳＯ−ｄ６における１Ｈ−核磁気共鳴スペクトルを測定したところ、化学シフトδ（ｐｐｍ、ＴＭＳ）が０．９５（６Ｈ、ｔ、−ＣＨ３）、１．３４乃至１．４６（４Ｈ、ｍ、−ＣＨ２−）、１．７０乃至１．７９（４Ｈ、ｑ、−ＣＨ２−）、３．１５（４Ｈ、ｂｓ）、４．２５乃至４．２９（４Ｈ、ｔ、Ｎ−ＣＨ２−）、６．５２（２Ｈ、ｂｓ）、６．８３（２Ｈ、ｂｓ）、７．２５乃至７．７２（２０Ｈ、ｍ）、８．１１（２Ｈ、ｄ）の位置にそれぞれピークが観察された。【００４８】
また、本例の結晶を適量とり、示差熱熱重量同時測定装置（商品名『ＴＧ／ＤＴＡ２２０型』、セイコー電子工業株式会社製造）を用いて分析に供した。その示差熱分析及び熱重量分析（熱重量測定−示差熱分析）図を図２に示す。本発明のシアニン色素は２４７．７℃に特徴的な発熱ピークが観察され、また、その分解温度は２４２℃であることが分かった。【００４９】
波長９９４ｎｍ付近に吸収極大を有し、熱安定性に優れる本例のシアニン色素は、近赤外線のエネルギーを利用する近赤外線吸収剤として極めて有用である。【００５０】
また、本例の化学式１で表される化合物と、別途、上記化学式１の合成方法に準じて合成した化学式２、化学式４で表される化合物に関して、汎用される有機溶剤、メタノール、メチルエチルケトン、ＰＧＭＥ（プロピレングリコールモノエチルエーテル）に対する溶解性（飽和濃度）について検討したところ、この発明のシアニン色素は、いずれの溶媒に対しても、１５ｍｇ／ｍｌを上回る溶解性を示し、この発明のシアニン色素は作業性の点でも優れていることがわかった。【００５１】
＜耐熱試験＞
本例の化学式１、２、４で表されるシアニン色素について、耐熱性に関する試験を下記のとおり行なった。耐熱性試験は、まず、実施例１記載の化学式１、２、４で表されるシアニン色素を、それぞれ溶剤に溶解した後、ガラス基板上に塗布し製膜した。シアニン色素を製膜した上記３種類のガラス基板について、吸収極大波長（約９９４ｎｍ）におけるシアニン色素の透過率（Ｔ０）を測定した後、１８０℃に熱したホットプレート（商品名『ホットプレート／スターラー  ＰＣ−３２０』、コーニング社製造）上にそれぞれのシアニン色素を塗布した上記ガラス基板を１５０分間放置した。加熱後、直ちに、吸収極大波長における透過率（Ｔ）を再度測定し、斯くして得られた透過率Ｔ及びＴ０を下記数１へ代入して色素残存率を求めた。比較例として、従来公知の比較例化合物１乃至３について同様に耐熱試験を行なった。結果を表１に示す。【００５２】
化学式１２（比較例化合物１）
【化１６】
2012063964.tif 000018
【００５３】
化学式１３（比較例化合物２）
【化１７】
2012063964.tif 000019
【００５４】
化学式１４（比較例化合物３）
【化１８】
2012063964.tif 000020
【００５５】
【数１】
2012063964.tif 000021
【００５６】
【表１】
2012063964.tif 000022
【００５７】
表１の結果に見られるとおり、本発明のベンゾ［ｃｄ］インドリウム系ヘプタメチンシアニン色素により構成した薄膜は、類縁体である比較例化合物と比較して、色素残存率が約３０％以上大きく、本発明のベンゾ［ｃｄ］インドリウム系ヘプタメチンシアニン色素は耐熱性に優れていることがわかった。
【実施例２】
【００５８】
＜近赤外線吸収剤の製造＞
バインダー樹脂としてポリビニルピロリドン樹脂１０ｇ、実施例１で得られた化学式１で表されるベンゾ［ｃｄ］インドリウム系ヘプタメチンシアニン色素０．２ｇをメチルエチルケトン：メチルセルソルブ＝４：６混合溶剤９０ｇに溶解し、平均厚さ約５μｍのポリエチレンテレフタラート（ＰＥＴ）フィルムにワイヤーバーにて乾燥後の膜厚が約５μｍとなるように塗布して、近赤外線吸収剤のフィルム組成物を得た。Ｎｄ：ＹＡＧレーザー（波長１０６４ｎｍ）のレーザー光をレンズで集光し、上記フィルム組成物の表面でビーム経１０μｍとなるように配置した。表面に到達するレーザーのパワーを調製し、２０μｓのパルス幅で単一のパルスを近赤外線フィルム組成物に照射した。照射後、光学顕微鏡で観察したところ、表面に到達するレーザーパワーが５０ｍＷ時、直径約１０μｍの貫通溝が確認された。
【産業上の利用可能性】
【００５９】
この発明は、文献未記載の、新規なベンゾ［ｃｄ］インドリウム系ヘプタメチンシアニン色素の創製に基づくものである。この発明によるベンゾ［ｃｄ］インドリウム系ヘプタメチンシアニン色素は、耐熱性に優れ、波長９９０ｎｍ付近に吸収極大を有し、近赤外線を実質的に吸収することに加えて、諸種の有機溶剤に対して適度な溶解性を発揮することから、近赤外線を吸収することによって、これを遮断したり、近赤外線のエネルギーを利用する有機吸光材料として、例えば、製版、情報記録、情報表示、太陽光発電、電気機械器具、電気通信器具、光学器具、衣料、建寝装用品、保健用品、農業資材をはじめとする多種多様の分野において極めて有用である。
【図１】
2012063964.tif 000025
【図２】
2012063964.tif 000026
【国際調査報告】
2012063964.tif 000027
2012063964.tif 000028